(57)【要約】【課題】まつ毛カーラーを提供する。【解決手段】まつ毛カーラーは、互いに交差状に枢結されたメインハンドル及びサブハンドルと、これらの作動により開閉作用を行う上部弧状板、下部弧状板とを備え、前記下部弧状板に凹溝状座が成形され、上部弧状板と下部弧状板との間に着設された挟持メイン部材は、長い弧状の頂部及び短い弧状の底部がそれぞれ一体型の弾性ゴム条であり、頂部に前部案内弧面と後部案内弧面とを有し、展張縁段が延設される挟持部と、底部に突設される枢着部と、位置規制溝とを接合してなる弾性ゴム条であり、挟持部の長さを枢着部の長さよりも長くすることで、挟持メイン部材の枢着部を下部弧状板の凹溝状座に着設して、位置規制溝により位置決めし、挟持部を上部弧状板に相対させ、下部弧状板を上部弧状板に向けて押動圧接する時、前記挟持部が支持面に形成され、まつ毛を付勢圧挟して上向きにカールアップさせることができる。【選択図】図１
2019130179.tif 000002
【特許請求の範囲】
【請求項１】
互いに交差状に枢結されたメインハンドル及びサブハンドルと、前記メインハンドル及び前記サブハンドルの作動により接離可能とされる上部弧状板及び下部弧状板とを備えるまつ毛カーラーであって、
前記下部弧状板に凹溝状座が成形されており、前記上部弧状板と前記下部弧状板との間に挟持メイン部材が着設され、
前記挟持メイン部材は、長い弧状の頂部及び短い弧状の底部にそれぞれ一体型になる弧形状の弾性ゴム条であり、頂部に比較的高い階段状段差と比較的低い階段状段差を呈する前部案内弧面と後部案内弧面とを有し、両外側端から外向きにそれぞれ適切な一節の展張縁段が延出する挟持部と、底部から下向きに突設される適切な一節の枢着部と、両外側末端の当該展張縁段の底側が一部空中に浮いた部分を呈すると共に、前記挟持メイン部材の底部の前記枢着部を前記下部弧状板の前記凹溝状座に係合して位置決めするように着設することで、頂部の前記挟持部を前記上部弧状板に相対させることにより、前記上部弧状板の圧下縁を前記前部案内弧面と前記後部案内弧面との接合境界の中心線上に相対させ、これにより、前記下部弧状板の引き動作により前記上部弧状板に向けて押動圧接しつつ力を加えて挟圧する時、前記挟持メイン部材の頂部の前記挟持部の比較的高い前記前部案内弧面が受承力をより具備する支持面に形成され、比較的低い前記後部案内弧面が補助支持面に形成されることで、まつ毛を上向きにカールアップさせると同時に、両外側末端の当該展張縁段の底側の一部空中に浮いた部分には押付支持するための支持面がなく、圧潰を受けた時に外向きに押し広げることにより、まつ毛の両外側端部を挟圧幅長さにおいてさらに外側に向けて拡展してカールアップすることにより、一回の操作だけで迅速な位置決めをより一層容易に達成し、カールアップ形状を固定させることを特徴とするまつ毛カーラー。
【請求項２】
前記挟持メイン部材の頂部の前記挟持部の両外側末端の当該展張縁段の底側には、底部の前記枢着部の端部と相接合するように、下向きに延設される適切な一節の逆斜段が設けられることを特徴とする請求項１に記載のまつ毛カーラー。
【請求項３】
前記挟持メイン部材の底部には、前記枢着部の外縁側に対応して位置規制溝が設けられることにより、前記挟持メイン部材を前記下部弧状板の前記凹溝状座に互いに係合して位置規制するように着設することを特徴とする請求項１に記載のまつ毛カーラー。
【請求項４】
前記挟持メイン部材の底部には、前記枢着部の外縁側に対応して前記枢着部と類似する弧状を呈する位置規制溝が設けられることを特徴とする請求項２に記載のまつ毛カーラー。
【請求項５】
前記挟持メイン部材の頂部には、前記挟持部の長さを前記枢着部の長さよりも長くさせることにより設けられることを特徴とする請求項１に記載のまつ毛カーラー。
【発明の詳細な説明】
【技術分野】
【０００１】
本発明は、まつ毛カーラーに関するものであり、さらに詳しくは、一回の操作だけで、かつ迅速にまつ毛のカールアップを仕上げると共に、まつ毛を両外側向きに押し広げて所望の形状に整えることがより容易に達成可能なまつ毛カーラーに関するものである。
【背景技術】
【０００２】
図１０〜図１１に示すように、一般のまつ毛カーラー１０は、ユーザーの手で操作するための連動関係をもつメインハンドル１１及びサブハンドル１２と、メインハンドル１１及びサブハンドル１２の作動により接離作用を行う上部弧状板１３及び下部弧状板１４とを備え、かつ下部弧状板１４に若干の位置規制ピン１４２を具備する凹溝状座１４１が成形されており、上部弧状板１３と下部弧状板１４との間にまつ毛Ａを挟み曲げてカールアップするためのキーとなる挟持メイン部材１５が着設され、その状態において、前記挟持メイン部材１５は、弾性をもつ弧形状を呈するパッド体として設けられ、頂部に隆起する円弧状の押圧縁面１５１と、底部に下段に向かうにつれて漸次縮幅する枢着部１５２とを有し、挟持メイン部材１５の枢着部１５２を下部弧状板１４の凹溝状座１４１内に枢着して収容規制する。
【０００３】
これによる枢着位置決めで、メインハンドル１１及びサブハンドル１２を操作することにより、下部弧状板１４を上向きに上部弧状板１３に相対させるまで位置をずらすように作動することで、下部弧状板１４内に位置する挟持メイン部材１５と、上部弧状板１３とは、同時にまつ毛Ａの後端部Ａ１まで挟み込まれ、まつ毛Ａの前端部Ａ２を湾曲させて型付けされる。ただし、挟持メイン部材１５は、弾性パッド体であり、かつ頂部に隆起する滑らかな円弧状を呈する押圧縁面１５１の設計で、挟圧時には、弾性パッド体である挟持メイン部材１５を上部弧状板１３に対応して挟み合い、まつ毛Ａの中央域の後端部Ａ１の成形を行うと、まつ毛Ａの両端を確実に咬合させて挟圧することができず、挟持メイン部材１５の弾性パッド体の頂部に隆起する円弧面の跳ね上がりをより受け易くなり、まつ毛Ａを挟圧する時に得られるカールアップのカール度の効果に限界がある。
【０００４】
従って、挟圧を少なくとも三回以上も繰り返さないと、まつ毛Ａ全体の成形を完成することができなくなり、且つ挟持メイン部材１５は、頂部の円弧状の押圧縁面１５１と、底部の枢着部１５２とで形成された上下に等しい長さの弧形状を呈するパッド体であり、挟圧時には、たとえ目尻の先端域に対応する目尻部のまつ毛Ａを挟圧する際に、いずれも中央域のまつ毛Ａの上下に均等に集中して力を受けて圧潰されると、まつ毛Ａの中央域の前端部Ａ２のみを上方へ適切なカール度でカールアップすることができるが、外向きに幅広く押し広げることができなかった（図１０参考照）。そのため、従来のまつ毛カーラーでは、まつ毛カーラーの押圧操作において、一回の操作だけで、ユーザーに提供できる挟み曲げ、カールアップ、押し広げの効果に限界があるという問題があった。
【発明の概要】
【発明が解決しようとする課題】
【０００５】
従って、本発明の課題は、前記の先行技術の状況下において、一回の操作により、挟み曲げ、カールアップ、押し広げの作用が可能なまつ毛カーラーを提供することにある。
【課題を解決するための手段】
【０００６】
そこで、本願発明者は、前記の本発明の課題を解決するために鋭意検討を重ねた結果、本発明の一つの発明特定事項として後述する形態の挟持部材に着目し、かかる知見に基いて本発明に想到するに至った。
【０００７】
すなわち、本発明の目的は、まつ毛カーラーを提供することにあり、特に、メインハンドル、サブハンドルの作動により開閉作用を行う上部弧状板、下部弧状板との間に着設される挟持メイン部材は、弧形状の弾性ゴム条である前記挟持メイン部材の一体型になる頂部に階段状を呈する前部案内弧面と後部案内弧面が設けられ、両外側端から外向きにそれぞれ適切な一節の展張縁段が延設される挟持部と、底部に突設される枢着部及び位置規制溝とを接合して、頂部の挟持部の長さを底部の枢着部の長さよりも長くし、及び両外側末端の展張縁段と底部の枢着部とに階段状段差を形成した一部空中に浮いた部分を呈することで、挟持メイン部材の枢着部を下部弧状板の凹溝状座に着設する時、底部の位置規制溝により係合固設して位置決めできることにより、頂部の挟持部を上部弧状板に相対させると共に、メインハンドル、サブハンドルを操作することにより力を加えつつ下部弧状板を上部弧状板に向けて押動圧接すると、挟持メイン部材の前部案内弧面と後部案内弧面のうちの比較的高い前部案内弧面が受承力をより具備する支持面に形成され、比較的低い後部案内弧面が補助支持面に形成されることにより、まつ毛を挟圧して上向きにカールアップさせると同時に、その両外側末端の展張縁段の底側の一部空中に浮いた部分には押付支持するための支持面がなく、両外側向きに圧潰拡展することで、まつ毛の両外側端部もそれにつれて外向きに押し広げ、又は拡展してカールアップするまつ毛カーラーを提供することにある。
【０００８】
かくして、本発明の要旨は、次の（１）〜（５）の記載の通りのものである。
（１）互いに交差状に枢結されたメインハンドル及びサブハンドルと、前記メインハンドル及び前記サブハンドルの作動により接離可能とされる上部弧状板及び下部弧状板とを備えるまつ毛カーラーであって、
前記下部弧状板に凹溝状座が成形されており、前記上部弧状板と前記下部弧状板との間に挟持メイン部材が着設され、
前記挟持メイン部材は、長い弧状の頂部及び短い弧状の底部にそれぞれ一体型になる弧形状の弾性ゴム条であり、頂部に比較的高い階段状段差と比較的低い階段状段差を呈する前部案内弧面と後部案内弧面とを有し、両外側端から外向きにそれぞれ適切な一節の展張縁段が延出する挟持部と、底部から下向きに突設される適切な一節の枢着部と、両外側末端の当該展張縁段の底側が一部空中に浮いた部分を呈すると共に、前記挟持メイン部材の底部の前記枢着部を前記下部弧状板の前記凹溝状座に係合して位置決めするように着設することで、頂部の前記挟持部を前記上部弧状板に相対させることにより、前記上部弧状板の圧下縁を前記前部案内弧面と前記後部案内弧面との接合境界の中心線上に相対させ、これにより、前記下部弧状板の引き動作により前記上部弧状板に向けて押動圧接しつつ力を加えて挟圧する時、前記挟持メイン部材の頂部の前記挟持部の比較的高い前記前部案内弧面が受承力をより具備する支持面に形成され、比較的低い前記後部案内弧面が補助支持面に形成されることで、まつ毛を上向きにカールアップさせると同時に、両外側末端の当該展張縁段の底側の一部空中に浮いた部分には押付支持するための支持面がなく、圧潰を受けた時に外向きに押し広げることにより、まつ毛の両外側端部を挟圧幅長さにおいてさらに外側に向けて拡展してカールアップすることにより、一回の操作だけで迅速な位置決めをより一層容易に達成し、カールアップ形状を固定させることを特徴とするまつ毛カーラー。
【０００９】
（２）前記挟持メイン部材の頂部の前記挟持部の両外側末端の当該展張縁段の底側には、底部の前記枢着部の端部と相接合するように、下向きに延設される適切な一節の逆斜段が設けられることを特徴とする前記（１）に記載のまつ毛カーラー。
【００１０】
（３）前記挟持メイン部材の底部には、前記枢着部の外縁側に対応して位置規制溝が設けられることにより、前記挟持メイン部材を前記下部弧状板の前記凹溝状座に互いに係合して位置規制するように着設することを特徴とする前記（１）に記載のまつ毛カーラー。
【００１１】
（４）前記挟持メイン部材の底部には、前記枢着部の外縁側に対応して前記枢着部と類似する弧状を呈する位置規制溝が設けられることを特徴とする前記（２）に記載のまつ毛カーラー。
【００１２】
（５）前記挟持メイン部材の頂部には、前記挟持部の長さを前記枢着部の長さよりも長くさせることにより設けられることを特徴とする前記（１）に記載のまつ毛カーラー。
【発明の効果】
【００１３】
本発明によれば、従来のように不用意な操作によりまつ毛の根元が挟まれて引っ張られるようなおそれがない上、まつ毛カーラーの挟圧を連続的に何回も繰り返す必要もないので、一回の操作だけで、かつ迅速にまつ毛のカールアップを仕上げ、まつ毛を広げて所望の形状に整えることがより容易に達成できるまつ毛カーラーを提供することができる。
【図面の簡単な説明】
【００１４】
【図１】本発明の一実施形態に係るまつ毛カーラーの分解斜視図である。
【図２】本発明の一実施形態に係るまつ毛カーラーの挟持メイン部材の拡大図である。
【図３】本発明の一実施形態に係るまつ毛カーラーの挟持メイン部材の底部拡大図である。
【図４】本発明の一実施形態に係るまつ毛カーラーの挟持メイン部材の断面図である。
【図５】本発明の一実施形態に係るまつ毛カーラーの挟持メイン部材の正面図である。
【図６】本発明の一実施形態に係るまつ毛カーラーの組合せ斜視図及び一部断面図である。
【図７】本発明の一実施形態に係るまつ毛カーラーの挟持メイン部材とまつ毛カーラーの使用状態図一である。
【図８】本発明の一実施形態に係るまつ毛カーラーの挟持メイン部材とまつ毛カーラーの使用状態図二である。
【図９】本発明の一実施形態に係るまつ毛カーラーの別の実施例の挟持メイン部材の底部拡大図である。
【図１０】従来技術に係るまつ毛カーラーの組合せ斜視図である。
【図１１】従来技術に係るまつ毛カーラーの使用状態図である。
【発明を実施するための形態】
【００１５】
以下、本発明について図面により詳述するが、本発明は、かかる図面にのみ限定されるものではない。
１．第１実施例
図１〜図６に示すように、本発明に係るまつ毛カーラー２０は、互いに交差状に枢結されて連動関係をもつメインハンドル２１及びサブハンドル２２と、メインハンドル２１及びサブハンドル２２の作動により接離作用を行う上部弧状板２３及び下部弧状板２４とを備え、前記下部弧状板２４に凹溝状座２４１が成形されており、上部弧状板２３と下部弧状板２４との間に挟持メイン部材２５が着設され、その中、前記挟持メイン部材２５は、長い弧状の頂部及び短い弧状の底部がそれぞれ一体型になる弧形状の弾性ゴム条であり、頂部に比較的高い階段状段差と比較的低い階段状段差を呈する前部案内弧面２５２と後部案内弧面２５３とを有し、両外側端から外向きにそれぞれ適切な一節の展張縁段２５２２が延出する挟持部２５１と、また短い弧状の底部から下向きに突設される適切な一節の枢着部２５４とを有し、底部には、枢着部２５４の前、後辺側に対応して枢着部２５４と類似する弧状を呈する適切な一節の位置規制溝２５５が設けられ、頂部の挟持部２５１の長さを底部の枢着部２５４の長さよりも長くさせ、両外側末端の展張縁段２５２２と底部の枢着部２５４とに階段状段差を形成した一部空中に浮いた部分を呈することで、挟持メイン部材２５の枢着部２５４が下部弧状板２４の凹溝状座２４１に嵌め込まれる時、その凹溝状座２４１の溝枠は、同時に挟持メイン部材２５の底部の位置規制溝２５５により互いに制限されて係合されることで、挟持メイン部材２５が前記下部弧状板２４の凹溝状座２４１に位置決めされ、上部弧状板２３に相対することになると同時に、上部弧状板２３の圧下縁を前部案内弧面２５２と後部案内弧面２５３との接合境界の中心線上に相対する。 
【００１６】
本発明に係るまつ毛カーラーを使用する場合、図７と図８に示すように、まつ毛カーラー２０のメインハンドル２１及びサブハンドル２２を握持してまつ毛Ａに近づけ、上部弧状板２３及び下部弧状板２４を作動することにより、まつ毛Ａを挟持してカールアップする時、メインハンドル２１及びサブハンドル２２により下部弧状板２４に力を加えつつ上向きに押動変位させると、挟持メイン部材２５の頂部の比較的長い弧状辺の挟持部２５１を、下部弧状板２４を上部弧状板２３に向けて押圧挟圧することにより、まつ毛Ａの前後端部Ａ２、Ａ１をそれぞれ前部案内弧面２５２と後部案内弧面２５３に弧状に当てると共に、前部案内弧面２５２と後部案内弧面２５３がそれぞれ前高後低状になることを利用して、力を加えて挟圧する時、比較的高い前部案内弧面２５２が受承力をより具備する支持面に形成され、比較的低い後部案内弧面２５３が補助支持面に形成されることで、まつ毛Ａが付勢により挟持部２５１と上部弧状板２３との間に挟圧されて挟持押付を受けて使用する場合、まつ毛Ａの後端部Ａ１が前部案内弧面２５２と後部案内弧面２５３の階段状面による圧潰を受けると同時に、上部弧状板２３の圧下縁が下向きに前部案内弧面２５２と後部案内弧面２５３との接合境界の中心線上に丁度当接し、挟持メイン部材２５が弾性ゴム条であり、まつ毛Ａの前端部Ａ２を付勢により上向きにカールアップさせることができると同時に、その両外側末端の展張縁段２５２２の底側の一部空中に浮いた部分には押付支持するための支持面がなく、圧潰を受けた時に両外側が付勢により外向きに拡展して押し広げられことにより、まつ毛Ａの両外側端部Ａ３が自然に外向きに押し広げられてカールアップされた様子を示しており、まつ毛Ａの両外側端部Ａ３を挟圧幅長さにおいてさらに外側に向けて拡展してカールアップすることが達成され、及び従来技術のように不用意な操作によりまつ毛Ａの根元が挟まれて引っ張られるおそれがなく、一回の操作だけで、かつ迅速にカールアップ形状を固定形成させる状態がより容易に達成できることから、そのまつ毛Ａを押し広げてカールアップして所望の形状に整え、これにより、まつ毛Ａを挟み曲げてカールアップする操作が達成され、その上、一回の操作だけで、かつ迅速にまつ毛Ａのカールアップを仕上げ、まつ毛Ａを押し広げて所望の形状に整えたパーフェクトな挟持整形がより容易に達成でき、まつ毛カーラー２０の挟圧を連続的に何回も繰り返す必要がなくなり、まつ毛Ａを挟んでアップさせる目的を容易に達成することができる。
２．第２実施例
【００１７】
図９に示すように、前記挟持メイン部材２５の頂部の挟持部２５１の両外側末端の展張縁段２５２２は、その底側端縁には、枢着部２５４の端部と接合するように、下向きに延設される逆斜段２５２３が設けられてもよく、これにより、圧潰を受けた時に両外側末端の展張縁段２５２２を付勢により外向きに拡展して押し広げるようにする。
【符号の説明】
【００１８】
従来技術
１０：まつ毛カーラー
１１：メインハンドル
１２：サブハンドル
１３：上部弧状板
１４：下部弧状板
１４１：凹溝状座
１４２：位置規制ピン
１５：挟持メイン部材
１５１：押圧縁面
１５２：枢着部
Ａ：まつ毛
Ａ１：後端部
Ａ２：前端部
本発明
２０：まつ毛カーラー
２１：メインハンドル
２２：サブハンドル
２３：上部弧状板
２４：下部弧状板
２４１：凹溝状座
２５：挟持メイン部材
２５１：挟持部
２５２２：展張縁段
２５２３：逆斜段
２５４：枢着部
２５５：位置規制溝 
Ａ：まつ毛
Ａ１：後端部
Ａ２：前端部
Ａ３：外側端部
【図１】
2019130179.tif 000003
【図２】
2019130179.tif 000004
【図３】
2019130179.tif 000005
【図４】
2019130179.tif 000006
【図５】
2019130179.tif 000007
【図６】
2019130179.tif 000008
【図７】
2019130179.tif 000009
【図８】
2019130179.tif 000010
【図９】
2019130179.tif 000011
【図１０】
2019130179.tif 000012
【図１１】
2019130179.tif 000013